(57)【要約】【課題】ワイヤロープを円滑に通過させつつ索輪への異物の巻込みを防ぐ滑車用巻込防止装置および滑車を提供する。【解決手段】巻込防止装置１０２は、ワイヤロープ１０８のかかる滑車１００に取り付けられる。巻込防止装置１０２は、索輪１０６の両面側に回転可能に取り付けられる一対のアーム１１２ａ、１１２ｂと、アーム１１２ａ、１１２ｂの先端にそれぞれ設けられた一対の側壁１１０ａ、１１０ｂと、側壁１１０ａ、１１０ｂ同士に渡されてワイヤロープ１０８を囲う複数の梁部材（第１梁部材１１４ａ〜第３梁部材１１４ｃ）とを備える。複数の梁部材のうち、一部の梁部材（第２梁部材１１４ｂ、第３梁部材１１４ｃ）は側壁１１０ａ、１１０ｂから開閉可能になっていて、各梁部材はワイヤロープ１０８に向かって凸の曲面を有している。【選択図】図１
2019055861.tif 000002
【特許請求の範囲】
【請求項１】
ワイヤロープのかかる滑車に取り付けられる滑車用巻込防止装置であって、
索輪の両面側に回転可能に取り付けられる一対のアームと、
前記アームの先端にそれぞれ設けられた一対の側壁と、
前記側壁同士に渡されてワイヤロープを囲う複数の梁部材とを備え、
前記複数の梁部材のうち一部の梁部材は前記側壁から取外し可能または開閉可能になっていて、
前記複数の梁部材は、ワイヤロープに向かって凸の曲面を有していることを特徴とする滑車用巻込防止装置。
【請求項２】
前記複数の梁部材のうち開閉可能なものは、一端に前記側壁に連結されたヒンジを有し、他端に前記側壁に着脱可能な係留部を有することを特徴とする請求項１に記載の滑車用巻込防止装置。
【請求項３】
前記複数の梁部材は、
索輪から２方向に延びるワイヤロープの内側に配置された第１梁部材と、
ワイヤロープの外側であって前記第１梁部材の反対側に配置された第２梁部材と、
ワイヤロープの外側であって前記第２梁部材よりも索輪側に配置された第３梁部材とを含むことを特徴とする請求項１または２に記載の滑車用巻込防止装置。
【請求項４】
前記複数の梁部材は、丸棒状であることを特徴とする請求項１から３のいずれか１項に記載の滑車用巻込防止装置。
【請求項５】
前記複数の梁部材は、丸棒状の樹脂製のローラであることを特徴とする請求項１から４のいずれか１項に記載の滑車用巻込防止装置。
【請求項６】
請求項１から５のいずれか１項に記載の滑車用巻込防止装置を索輪から２方向に延びるワイヤロープの両方側に一対備えたことを特徴とする滑車。
【発明の詳細な説明】
【技術分野】
【０００１】
本発明は、ワイヤロープのかかる滑車に取り付けられる滑車用巻込防止装置および滑車に関する。
【背景技術】
【０００２】
送電鉄塔の建設や整備などにおいて、資材や工具等を地表から高所へ引き上げる装置として、ワイヤロープと共に金属製の滑車（金車）が頻繁に使用される。このような金車は、万が一にも索輪の回転中に作業員が触れるような事があると、作業員の衣服や身体の一部を巻き込んでしまうなど、重大な災害を招くおそれがある。このような事態を防ぐため、各社から種々の防止装置が提案されている。
【０００３】
例えば特許文献１の滑車用巻き込み防止装置では、滑車１０の側板２１から延びる連結部材４０の先に、ロープを包囲する包囲筒３０が備えられている。また、別形態として、ロープの周囲をらせん状に包囲するスパイラル部材５１を備えた構成も提案されている。特許文献１では、これら構成によって、ロープの動きに追従しつつロープを包囲し、作業員の手指等のプーリ１１への巻込みが防止できるとされている。
【０００４】
また、特許文献２の金車用安全カバーでは、図２に示される安全カバー１の底板２に、ロープを通過させる矩形の切欠部２ｃが設けられている。特許文献２では、ロープに切欠部２ｃを通過させることで、作業員の指などの通過を防ぎ、指などが車輪１０に巻き込まれることを防止できるとされている。
【先行技術文献】
【特許文献】
【０００５】
【特許文献１】特開２０１１−１６８３８６号公報
【特許文献２】特開２００７−１０６５１７号公報
【発明の概要】
【発明が解決しようとする課題】
【０００６】
しかしながら、金車にかかるワイヤロープの途中部分には、連結金具や各種付属品など、ワイヤロープの径よりも突出する突起物が存在している場合がある。その場合、特許文献１の包囲筒３０やスパイラル部材５１のようなロープの周りをその径に応じて包囲する構成では、突起物が引っ掛かるおそれがある。また、特許文献２の構成においても、切欠部２ｃの縁に突起物が引っ掛かるおそれがある。ワイヤロープの突起部が引っ掛かってしまうと、装置の破損やワイヤロープの断線などの事故につながりかねない。
【０００７】
本発明は、このような課題に鑑み、ワイヤロープを円滑に通過させつつ索輪への異物の巻込みを防ぐ滑車用巻込防止装置および滑車を提供することを目的としている。
【課題を解決するための手段】
【０００８】
上記課題を解決するために、本発明にかかる滑車用巻込防止装置の代表的な構成は、ワイヤロープのかかる滑車に取り付けられる滑車用巻込防止装置であって、索輪の両面側に回転可能に取り付けられる一対のアームと、アームの先端にそれぞれ設けられた一対の側壁と、側壁同士に渡されてワイヤロープを囲う複数の梁部材とを備え、複数の梁部材のうち一部の梁部材は側壁から取外し可能または開閉可能になっていて、複数の梁部材は、ワイヤロープに向かって凸の曲面を有していることを特徴とする。
【０００９】
当該滑車用巻込防止装置は、側壁および梁部材でワイヤを囲んでいて、作業員の手指等の索輪への巻込みを好適に防ぐことが可能になっている。特に、梁部材が凸の曲面を有しているため、ワイヤロープの途中に突起物が存在していたとしても、突起物を引っ掛けることなくワイヤロープを円滑に通過させることができる。また、一部の梁部材が側壁から取外し可能または開閉可能になっていて、ワイヤロープを滑車に簡単に取り付けることが可能になっている。
【００１０】
上記の複数の梁部材のうち開閉可能なものは、一端に側壁に連結されたヒンジを有し、他端に側壁に着脱可能な係留部を有してもよい。この構成によって、梁部材の開閉が可能になり、併せてワイヤロープを滑車に簡単に取り付けることが可能になる。
【００１１】
複数の梁部材は、索輪から２方向に延びるワイヤロープの内側に配置された第１梁部材と、ワイヤロープの外側であって第１梁部材の反対側に配置された第２梁部材と、ワイヤロープの外側であって第２梁部材よりも索輪側に配置された第３梁部材とを含むとよい。
【００１２】
上記構成であれば、第１梁部材および第２梁部材によってワイヤロープを囲い、作業員の衣服や手を索輪への巻込みから好適に保護することが可能になる。また第３梁部材によって、側壁の隙間に衣服や手が不意に入ることを防止できる。
【００１３】
上記複数の梁部材は、丸棒状であってもよい。この構成によって、突起物の引っ掛かり難い梁部材を実現することが可能になる。
【００１４】
上記複数の梁部材は、丸棒状の樹脂製のローラであってもよい。適度な弾性を有する樹脂製のローラであれば、突起物の引っ掛かりの防止、および作業員の手指等の保護を、より好適に行うことが可能になる。
【００１５】
上記課題を解決するために、本発明にかかる滑車の代表的な構成は、上記滑車用巻込防止装置を索輪から２方向に延びるワイヤロープの両方側に一対備えたことを特徴とする。上述した巻込防止装置における技術的思想に対応する構成要素やその説明は、当該滑車にも適用可能である。したがって、当該滑車は、ワイヤロープの両方側において、ワイヤロープを円滑に通過させつつ、作業員の手指等の巻込みを防ぐことが可能になる。
【発明の効果】
【００１６】
本発明によれば、ワイヤロープを円滑に通過させつつ索輪への異物の巻込みを防ぐ滑車の巻込防止装置および滑車を提供することが可能になる。
【図面の簡単な説明】
【００１７】
【図１】本発明の実施形態にかかる滑車および滑車用巻込防止装置の概要を示す図である。
【図２】図１の滑車の正面図および側面図である。
【図３】滑車用巻込防止装置を示す図である。
【図４】車用巻込防止装置の変形例を示す図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
図１は、本発明の実施形態にかかる滑車１００および滑車用巻込防止装置（巻込防止装置１０２、１０４）の概要を示す図である。巻込防止装置１０２、１０４は作業員の手指等を滑車１００への巻込みから保護する装置であり、滑車１００は巻込防止装置１０２、１０４を索輪１０６から２方向に延びるワイヤロープ１０８の両方側に計一対備えたことを特徴としている。以下、巻込防止装置１０２、１０４の構成について詳しく説明する。
【００２０】
巻込防止装置１０２、１０４は同じ構成（対称の構造）のため、以下では主に巻込防止装置１０２を例に挙げて説明を行う。巻込防止装置１０２は、ワイヤロープ１０８と索輪１０６との間に異物が巻き込まれないよう、側壁１１０ａ、１１０ｂおよび複数の梁部材（第１梁部材１１４ａ等）でワイヤロープ１０８を囲み、ワイヤロープ１０８と索輪１０６との間に異物が入り込むことを防いでいる。
【００２１】
巻込防止装置１０２のうち、側壁１１０ａ、１１０ｂとアーム１１２ａ、１１２ｂ（図３（ａ）参照）は材質に金属が用いられ、板状になっている。梁部材は、ボルト１１８が１本と、第１梁部材１１４ａから第３梁部材１１４ｃの計３本を含んでいる。第１梁部材１１４ａから第３梁部材１１４ｃは、いずれも金属の芯の周りを樹脂で覆った丸棒状の樹脂製ローラになっている。
【００２２】
各梁部材（第１梁部材１１４ａ〜第３梁部材１１４ｃ）は、上述したように丸棒状であって、ワイヤロープ１０８に向かって凸の曲面を有している。ワイヤロープ１０８の途中には連結金具等の突起物が存在していることがあるが、各梁部材が凸の曲面を有しているため、突起物は各梁部材に引っ掛かることなく通過できる。これによって、当該巻込防止装置１０２では、索輪１０６への異物の巻込みの防止と、ワイヤロープ１０８の円滑な通過とを両立させている。
【００２３】
図２は、図１の滑車１００の正面図および側面図である。図２（ａ）は、滑車１００の索輪１０６の正面図である。巻込防止装置１０２は、側壁１１０ａから延びるアーム１１２ａによって、索輪１０６の軸１１６に回転可能に取り付けられる。これによって、巻込防止装置１０２は、図２（ａ）に破線で示すようにワイヤロープ１０８の動きに追従して回転することが可能になっていて、自在に姿勢を変えるため、ワイヤロープ１０８の動きを邪魔することがない。
【００２４】
図２（ｂ）は、滑車１００の側面図であり、巻込防止装置１０４を示している。巻込防止装置１０４の梁部材１１５に示されるように、巻込防止装置１０２、１０４の各梁部材は、滑車１００に取り付けたときにワイヤロープ１０８に直交する姿勢になり、作業員の手指等に干渉して索輪１０６への巻込みを防ぐ。
【００２５】
図３は、滑車用巻込防止装置（巻込防止装置１０２、１０４）を示す図である。図３（ａ）は滑車用巻込防止装置１０２、１０４の斜視図である。巻込防止装置１０２、１０４は、持運びおよび滑車への容易な着脱を考慮して簡潔な構成になっている。
【００２６】
側壁１１０ａ、１１０ｂおよびアーム１１２ａ、１１２ｂは、索輪１０６（図１参照）の両面に沿って、それぞれ計一対設けられている。一対のアーム１１２ａ、１１２ｂは、一端が環状（環状部１１３）になっていて、索輪１０６の両面側にて索輪１０６の軸１１６のボルトまたはナットにはめることによって、回転可能に取り付けられる。一対の側壁１１０ａ、１１０ｂは、板状に広がった形状であって、アーム１１２ａ、１１２ｂの他端にそれぞれ設けられている。
【００２７】
側壁１１０ａ、１１０ｂは、少なくとも一部が索輪１０６（図１参照）よりも外側にまで延び、索輪１０６を経由するワイヤロープ１０８の両側面を覆う。
【００２８】
再び図１を参照する。本実施形態では、ボルト１１８と第１梁部材１１４ａは、索輪１０６から２方向に延びるワイヤロープ１０８に対して、内側に配置されている。第２梁部材１１４ｂは、ワイヤロープ１０８の外側であって、第１梁部材１１４ａの反対側に配置されている。第３梁部材１１４ｃは、ワイヤロープ１０８の外側であって、第２梁部材１１４ｂよりも索輪１０６側に配置されている。
【００２９】
一対の側壁１１０ａ、１１０ｂと第１梁部材１１４ａおよび第２梁部材１１４ｂは、巻込防止装置１０２におけるワイヤロープ１０８の出入口を構成していて、ワイヤロープ１０８を囲い、作業員の衣服や手を索輪１０６への巻込みから保護する。第３梁部材１１４ｃは、第２梁部材１１４ｂと索輪１０６との間の範囲を埋め、側壁１１０ａの隙間に衣服や手が不意に入ることを防止している。
【００３０】
特に巻込防止装置１０２では、第１梁部材１１４ａと第２梁部材１１４ｂとが、索輪１０６から人の指の長さ以上に離れた位置でワイヤロープ１０８を囲うように設定されている。これによって、作業員の手が第１梁部材１１４ａおよび第２梁部材１１４ｂによって止められたとき、うっかり指を伸ばしても索輪１０６に届かないようになり、作業員の手指等の索輪１０６への巻込みを好適に防ぐことが可能になる。
【００３１】
前述したように、各梁部材は、丸棒状の樹脂製のローラであって、ワイヤロープ１０８上の突起物が引っ掛かり難くなっている。また、樹脂部分が適度な弾性を生むようになっていて、これによっても、突起物の引っ掛かりの防止が好適に行えるようになっている。
【００３２】
再び図３（ａ）を参照する。巻込防止装置１０２は、滑車１００（図１参照）およびワイヤロープ１０８への着脱が容易に行えるように、複数の梁部材のうち少なくとも一部が側壁から取外し可能または開閉可能になっている。特に、本実施形態では、ワイヤロープ１０８の外側に位置する第２梁部材１１４ｂおよび第３梁部材１１４ｃが開閉できるようになっている。
【００３３】
図３（ｂ）は、第２梁部材１１４ｂの動作を示す図である。第２梁部材１１４ｂは、一端にヒンジ１２０を有していて、側壁１１０ｂに回転可能に連結されている。第２梁部材１１４ｂの他端は、側壁１１０ａに着脱可能な係留部１２２になっている。係留部１２２は、例えば引いて伸ばしてバネで戻る構造にすることができる。これによって引っ張って離すだけの簡単な操作で側壁１１０ａのダルマ穴１２４（図３（ａ）参照）に係留部１２２をはめることができ、容易に着脱させることが可能になる。
【００３４】
上記構成によって、巻込防止装置１０２を滑車１００（図１参照）に取り付けるときには、まずアーム１１２ａを索輪１０６の軸１１６に装着し、そして第２梁部材１１４ｂと第３梁部材１１４ｃとを開いた状態にして内側にワイヤロープ１０８を入れ、これらを閉じる。このように、当該巻込防止装置１０２は、一部の梁部材が開閉可能になっていることで、ワイヤロープ１０８を滑車１００に対して簡単に取り付けたり取り外したりすることが可能になっている。
【００３５】
なお、各梁部材は、一端がヒンジ１２０であると、開いた際にも側壁１１０ａ、１１０ｂから脱落しないため、紛失のおそれがなくなる。しかしながら、各梁部材は、ヒンジ１２０による開閉構造だけでなく、両端とも側壁１１０ａ、１１０ｂから完全に取り外せる構成にすることも可能である。また、複数の梁部材のうち、ワイヤロープ１０８の片側に配置された一部の梁部材のみ開閉可能もしくは取外し可能な構造にすればよく、その場合は反対側の梁部材は側壁１１０ａ、１１０ｂに固定された状態とすることが可能である。
【００３６】
また上記実施形態においては、各梁部材は、丸棒状であるが、回転しない構成である。しかし、梁部材をワイヤロープ１０８の通過に伴って回転する構成とすることも可能である。この構成であれば、ワイヤロープ１０８やその突起物が触れたときに回転し、ワイヤロープ１０８を円滑に通過させることが可能になる。
【００３７】
さらに、各梁部材は、必ずしも丸棒状でなくともよく、例えば幅方向に湾曲した長板状の構成であってもよい。長板状の梁部材によっても、ワイヤロープ１０８に向かって凸の曲面を形成することが可能である。
【００３８】
以上のように、当該巻込防止装置１０２、１０４は、ワイヤロープ１０８の円滑な通過と、作業員の手指等の巻込み防止とを好適に両立し、さらに滑車１００に簡単に取り付けることが可能になっている。そして、当該滑車１００は、この巻込防止装置１０２、１０４をワイヤロープ１０８の両方側に計一対備えたことで、作業現場において作業員の安全を好適に確保することが可能になっている。
【００３９】
（変形例）
上述した梁部材は、さらに数を増やすことも可能である。例えば、図４は、滑車および滑車用巻込防止装置の変形例を示す図である。図４に示す滑車２００に取り付けられている巻込防止装置２０２、２０４は、図１の巻込防止装置１０２、１０４それぞれに比べて、さらに２本の梁部材が追加されている。
【００４０】
巻込防止装置２０２では、側壁１１０ａにおけるワイヤロープ１０８の出入口側から、ワイヤロープ１０８に沿って延長部２０４が延び、この延長部２０４に第４梁部材１１４ｄが渡されている。同様に、裏側の側壁１１０ｂにも、延長部２０６および第５梁部材１１４ｅが設けられている。これら第４梁部材１１４ｄおよび第５梁部材１１４ｅは、第１梁部材１１４ａおよび第２梁部材１１４ｂに対して交差する方向に設置されている。
【００４１】
上記巻込防止装置２０２では、ワイヤロープ１０８の出入口が、第１梁部材１１４ａ、第２梁部材１１４ｂ、第４梁部材１１４ｄ、第５梁部材１１４ｅによって、格子状（枠状）に囲われている。したがって、ワイヤロープ１０８の周囲すべてにおいて、作業員の衣服や手を索輪１０６への巻込みから保護することが可能になっている。また、各梁部材はすべて丸棒状の樹脂製のローラであるため、ワイヤロープ１０８上の突起物の引っ掛かりも防止することが可能になっている。
【００４２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４３】
本発明は、ワイヤロープのかかる滑車に取り付けられる滑車用巻込防止装置および滑車として利用することができる。
【符号の説明】
【００４４】
１００…滑車、１０２、１０４…巻込防止装置、１０６…索輪、１０８…ワイヤロープ、１１０ａ、１１０ｂ…一対の側壁、１１２ａ、１１２ｂ…一対のアーム、１１３…環状部、１１４ａ…第１梁部材、１１４ｂ…第２梁部材、１１４ｃ…第３梁部材、１１４ｄ…第４梁部材、１１４ｅ…第５梁部材、１１５…梁部材、１１６…索輪の軸、１１８…ボルト、１２０…ヒンジ、１２２…係留部、１２４…ダルマ穴、２００…変形例の滑車、２０２、２０４…変形例の巻込防止装置、２０４…側壁の延長部、２０６…側壁の延長部
【図１】
2019055861.tif 000003
【図２】
2019055861.tif 000004
【図３】
2019055861.tif 000005
【図４】
2019055861.tif 000006